(57)【特許請求の範囲】
【請求項１】
収容空間を含み、前記収容空間の両側の対称しない位置には、上方に延びるカンチレバーがそれぞれ設けられており、前記二つのカンチレバーの上面に按摩突起が少なくとも一つ設けられており、前記収容空間の中心軸の位置には、回転盤が上方に突出するように設けられており、前記回転盤の上面に按摩突起が少なくとも一つ設けられており、前記回転盤が回転して前記按摩突起が回転しているときには、前記カンチレバーが対称せずに揺動して、前記カンチレバーの両側に設けられている前記按摩突起が揺動しながら回転することを特徴とする按摩ヘッドユニット。
【請求項２】
前記収容空間の中央に環状面が設けられており、前記中心軸に階段付き斜面が設けられており、前記階段付き斜面は前記環状面に組み付けられており、前記環状面の周辺には、十字形断面ロッドと、ケースと、が設けられており、前記ケースに案内溝具が設けられており、前記案内溝具の中央に案内溝が設けられており、前記案内溝に前記十字形断面ロッドが挿入されており、これにより、前記十字形断面ロッドが前記案内溝に規制され、前記十字形断面ロッド、前記環状面及び前記二つのカンチレバーは一体成形され、前記中心軸が回転しているときには、前記階段付き斜面が前記二つのカンチレバーを駆動して、前記二つのカンチレバーが前記案内溝に規制されて揺動しながら回転することを特徴とする、請求項１に記載の按摩ヘッドユニット。
【請求項３】
前記カンチレバーは、受動側と、作用側と、を含み、Ｕ字形弾性構造を介して前記収容空間は前記二つのカンチレバーの前記受動側と連接し、前記収容空間、前記Ｕ字形弾性構造及び前記カンチレバーの前記受動側は一体成形され、前記Ｕ字形弾性構造により、前記カンチレバーの前記作用側の前記按摩突起は、力を受けているときに、弾性的に変位して復帰することが可能であることを特徴とする、請求項１に記載の按摩ヘッドユニット。
【請求項４】
二セットの按摩ヘッドユニットは、それぞれ左右に配列されており、その輪郭が左右に反対し、その間にハウジングが設けられており、前記ハウジングの内部に動力機構が設けられており、前記動力機構は前記二セットの按摩ヘッドユニットを駆動することが可能であり、これにより、マッサージ器が構成され、前記マッサージ器は、対称しない前記カンチレバーにより、ユーザの肩部又は背部を按摩することを特徴とする、請求項１に記載の按摩ヘッドユニット。
【請求項５】
前記マッサージ器は按摩用枕の内部に組み付けられていて、按摩用枕型マッサージ器を構成することを特徴とする、請求項４に記載の按摩ヘッドユニット。
【請求項６】
前記マッサージ器は按摩用チェアマットの内部に組み付けられていて、按摩用チェアマット型マッサージ器を構成することを特徴とする、請求項４に記載の按摩ヘッドユニット。
【請求項７】
前記マッサージ器はマッサージチェアの内部に組み付けられていて、マッサージチェア型マッサージ器を構成することを特徴とする、請求項４に記載の按摩ヘッドユニット。
【発明の詳細な説明】
【技術分野】
【０００１】
本発明は、按摩ヘッドを有する按摩ヘッドユニットに関し、特に、収容空間の両側の対称しない位置には、上方に延びるカンチレバーがそれぞれ設けられており、収容空間の中心軸に回転盤が設けられており、カンチレバーと回転盤に按摩突起が少なくとも一つ設けられている、非対称カンチレバーと中心軸式按摩ヘッドを有する按摩ヘッドユニットに関するものである。
【背景技術】
【０００２】
国民は、仕事が極めて忙しくて暇の時間が少ないため、暇のときに体を按摩することにより、ストレスを解消することが必要である。体を按摩するときには、スペースを掛からず、ユーザが移動することも必要しないため、極めて便利である。体を按摩することにより、筋肉を鍛錬し、血行を促進し、新陳代謝を増加し、仕事によるストレスを解消することが可能である。
【０００３】
従来のマッサージ器の按摩動作は極めて単調であり、例えば特許文献１の台湾特許０９９２１５１６０号の「屈折式マッサージ器」が提案された。このような屈折式マッサージ器は、よく見られる円盤式のマッサージ器であり、円盤を回転するとユーザを按摩することが可能であるが、ユーザの体の各部分を十分にリラックスすることができない。上記の問題を解決するために、円盤を回転しながら上下に直線的に移動し、又は左右に直線的に移動する。しかし、このようにマッサージ器を改良しても、ユーザの体の各部分を十分にリラックスすることができない。
【先行技術文献】
【特許文献】
【０００４】
【特許文献１】台湾特許０９９２１５１６０号公報
【発明の概要】
【発明が解決しようとする課題】
【０００５】
本発明の主な目的は、収容空間の両側の対称しない位置には、上方に延びるカンチレバーがそれぞれ設けられており、収容空間の中心軸に回転盤が設けられており、カンチレバーと回転盤に按摩突起が少なくとも一つ設けられている、非対称カンチレバーと中心軸式按摩ヘッドを有する按摩ヘッドユニットを提供することにある。
【課題を解決するための手段】
【０００６】
本発明の按摩ヘッドユニットによると、収容空間を含み、収容空間の両側の対称しない位置には、上方に延びるカンチレバーがそれぞれ設けられており、二つのカンチレバーの上面に按摩突起が少なくとも一つ設けられており、収容空間の中心軸の位置には、回転盤が上方に突出するように設けられており、回転盤の上面に按摩突起が少なくとも一つ設けられており、回転盤が回転して按摩突起が回転しているときには、カンチレバーが対称せずに揺動して、カンチレバーの両側に設けられている按摩突起が揺動しながら回転することを特徴とする。
【０００７】
本発明の按摩ヘッドユニットによると、按摩突起は二つあることを特徴とする。
【０００８】
本発明の按摩ヘッドユニットによると、二つの按摩突起は、そのうちの一つが残りの按摩突起よりも大きいことを特徴とする。
【０００９】
本発明の按摩ヘッドユニットによると、収容空間の中央に環状面が設けられており、中心軸に階段付き斜面が設けられており、階段付き斜面は環状面に組み付けられており、環状面の周辺には、十字形断面ロッドと、ケースと、が設けられており、ケースに案内溝具が設けられており、案内溝具の中央に案内溝が設けられており、案内溝に十字形断面ロッドが挿入されており、これにより、十字形断面ロッドが案内溝に規制され、十字形断面ロッド、環状面及び二つのカンチレバーは一体成形され、中心軸が回転しているときには、階段付き斜面が二つのカンチレバーを駆動して、二つのカンチレバーが案内溝に規制されて揺動しながら回転することを特徴とする。
【００１０】
本発明の按摩ヘッドユニットによると、カンチレバーは、受動側と、作用側と、を含み、Ｕ字形弾性構造を介して収容空間は二つのカンチレバーの受動側と連接し、収容空間、Ｕ字形弾性構造及びカンチレバーの受動側は一体成形され、Ｕ字形弾性構造により、カンチレバーの作用側の按摩突起は、力を受けているときに、弾性的に変位して復帰することが可能であることを特徴とする。
【００１１】
本発明の按摩ヘッドユニットによると、二セットの按摩ヘッドユニットは、それぞれ左右に配列されており、その輪郭が左右に反対し、その間にハウジングが設けられており、ハウジングの内部に動力機構が設けられており、動力機構は二セットの按摩ヘッドユニットを駆動することが可能であり、これにより、マッサージ器が構成され、マッサージ器は、対称しないカンチレバーにより、ユーザの肩部又は背部を按摩することを特徴とする。
【００１２】
本発明の按摩ヘッドユニットによると、マッサージ器は按摩用枕の内部に組み付けられていて、按摩用枕型マッサージ器を構成することを特徴とする。
【００１３】
本発明の按摩ヘッドユニットによると、マッサージ器は按摩用チェアマットの内部に組み付けられていて、按摩用チェアマット型マッサージ器を構成することを特徴とする。
【００１４】
本発明の按摩ヘッドユニットによると、マッサージ器はマッサージチェアの内部に組み付けられていて、マッサージチェア型マッサージ器を構成することを特徴とする。
【発明の効果】
【００１５】
本発明の按摩ヘッドユニットによれば、収容空間の両側の対称しない位置には、上方に延びるカンチレバーがそれぞれ設けられており、収容空間の中心軸に回転盤が設けられており、カンチレバーと回転盤に按摩突起が少なくとも一つ設けられており、これにより、回転盤が回転しながらユーザを按摩すると同時に、対称しないカンチレバーが揺動しながらユーザを按摩することが可能であるという効果を有する。
【図面の簡単な説明】
【００１６】
【図１】本発明の一実施例の一視点から見た分解斜視図である。
【図２】本発明の一実施例の別の視点から見た分解斜視図である。
【図３】本発明の一実施例の更に別の視点から見た分解斜視図である。
【図４】本発明の一実施例の組合済み状態を示す斜視図である。
【図５】本発明の一実施例を使用するマッサージ器を示す平面図である。
【図６】本発明の一実施例を使用するマッサージ器を示す斜視図である。
【図７】本発明のマッサージ器が按摩用枕に組合わせられている状態を示す斜視図である。
【図８】本発明のマッサージ器が按摩用チェアマットに組合わせられている状態を示す斜視図である。
【図９】本発明のマッサージ器がマッサージチェアに組合わせられている状態を示す斜視図である。
【発明を実施するための最良の形態】
【００１７】
以下、本発明の実施の形態を図面に基づいて説明する。
図１を参照する。図１は本発明の一実施例の一視点から見た分解斜視図である。本実施例の按摩ヘッドユニットは、収容空間１０を含む。
【００１８】
収容空間１０の両側の対称しない位置には、上方に延びるカンチレバー１１、１２がそれぞれ設けられている。カンチレバー１１、１２の上面に按摩突起１３が少なくとも一つ設けられている。収容空間１０の中心軸１４の位置には、回転盤２０が上方に突出するように設けられている。回転盤２０の上面に按摩突起２１が少なくとも一つ設けられている。回転盤２０が回転して按摩突起２１が回転しているときには、カンチレバー１１、１２が対称せずに揺動して、カンチレバー１１、１２の両側に設けられている按摩突起１３が揺動しながら回転する。
【００１９】
本実施例では、按摩突起２１は二つある。
【００２０】
本実施例では、二つの按摩突起２１は、そのうちの一つが残りの按摩突起２１よりも大きい。
【００２１】
図２及び図３を参照する。図２は本発明の一実施例の別の視点から見た分解斜視図であり、図３は本発明の一実施例の更に別の視点から見た分解斜視図である。収容空間１０の中央に環状面１０１が設けられている。中心軸１４に階段付き斜面１４１が設けられている。階段付き斜面１４１は環状面１０１に組み付けられている。環状面１０１の周辺には、図６に示すように、十字形断面ロッド１０２と、ケース３０と、が設けられている。ケース３０に案内溝具３１が設けられている。案内溝具３１の中央に案内溝３１１が設けられている。案内溝３１１に十字形断面ロッド１０２が挿入されている。このように、十字形断面ロッド１０２が案内溝３１１に規制される。十字形断面ロッド１０２、環状面１０１及びカンチレバー１１、１２は一体成形される。中心軸１４が回転しているときには、階段付き斜面１４１がカンチレバー１１、１２を駆動して、カンチレバー１１、１２が案内溝３１１に規制されて揺動しながら回転する。
【００２２】
図１から図４を参照する。図４は本発明の一実施例の組合済み状態を示す斜視図である。カンチレバー１１、１２は、受動側１５と、作用側１６と、を含む。Ｕ字形弾性構造１７を介して、収容空間１０はカンチレバー１１、１２の受動側１５と連接する。収容空間１０、Ｕ字形弾性構造１７及びカンチレバー１１、１２の受動側１５は一体成形される。Ｕ字形弾性構造１７により、カンチレバー１１、１２の作用側１６の按摩突起１３は、力を受けているときに、弾性的に変位して復帰することが可能である。このように、カンチレバー１１、１２による按摩の快適性を増加することが可能である。
【００２３】
図５及び図６を参照する。図５は本発明の一実施例を使用するマッサージ器を示す平面図であり、図６は本発明の一実施例を使用するマッサージ器を示す斜視図である。二セットの按摩ヘッドユニット４０は、それぞれ左右に配列されており、その輪郭が左右に反対し、その間にハウジング５０が設けられている。ハウジング５０の内部に動力機構（図示せず）が設けられている。前記動力機構は二セットの按摩ヘッドユニット４０を駆動することが可能である。このように、マッサージ器６０が構成される。マッサージ器６０は、対称しないカンチレバー１１、１２により、ユーザの肩部又は背部を按摩することが可能である。
【００２４】
図７を参照する。図７は本発明のマッサージ器が按摩用枕に組合わせられている状態を示す斜視図である。マッサージ器６０は、図７に示すように、按摩用枕７１の内部に組み付けられていて、按摩用枕型マッサージ器７０を構成する。
【００２５】
図８を参照する。図８は本発明のマッサージ器が按摩用チェアマットに組合わせられている状態を示す斜視図である。マッサージ器６０は、図８に示すように、按摩用チェアマット８１の内部に組み付けられていて、按摩用チェアマット型マッサージ器８０を構成する。
【００２６】
図９を参照する。図９は本発明のマッサージ器がマッサージチェアに組合わせられている状態を示す斜視図である。マッサージ器６０は、図９に示すように、マッサージチェア９１の内部に組み付けられていて、マッサージチェア型マッサージ器９０を構成する。
【産業上の利用可能性】
【００２７】
本発明は、マッサージ器に適用することができる。
【符号の説明】
【００２８】
１０  収容空間
１１  カンチレバー
１２  カンチレバー
１３  按摩突起
１４  中心軸
１５  受動側
１６  作用側
１７  Ｕ字形弾性構造
２０  回転盤
２１  按摩突起
３０  ケース
３１  案内溝具
４０  按摩ヘッドユニット
５０  ハウジング
６０  マッサージ器
７０  按摩用枕型マッサージ器
７１  按摩用枕
８０  按摩用チェアマット型マッサージ器
８１  按摩用チェアマット
９０  マッサージチェア型マッサージ器
９１  マッサージチェア
１０１  環状面
１０２  十字形断面ロッド
１４１  階段付き斜面
３１１  案内溝
【要約】
【課題】回転盤が回転しながらユーザを按摩すると同時に、対称しないカンチレバーが揺動しながらユーザを按摩することが可能である按摩ヘッドユニットを提供する。
【解決手段】収容空間を含み、収容空間の両側の対称しない位置には、上方に延びるカンチレバーがそれぞれ設けられており、二つのカンチレバーの上面に按摩突起が少なくとも一つ設けられており、収容空間の中心軸の位置には、回転盤が上方に突出するように設けられており、回転盤の上面に按摩突起が少なくとも一つ設けられており、回転盤が回転して按摩突起が回転しているときには、カンチレバーが対称せずに揺動して、カンチレバーの両側に設けられている按摩突起が揺動しながら回転する。
【選択図】図１【図１】
0005647749.tif 000002
【図２】
0005647749.tif 000003
【図３】
0005647749.tif 000004
【図４】
0005647749.tif 000005
【図５】
0005647749.tif 000006
【図６】
0005647749.tif 000007
【図７】
0005647749.tif 000008
【図８】
0005647749.tif 000009
【図９】
0005647749.tif 000010